(57)【要約】【課題】高架橋の下面の一対のＨ形鋼間に、吸音パネルをその幅方向に並べて取付けるための固定用具において、その固定締付け力を十分に確保しつつ取付け作業を容易化する。【解決手段】各吸音パネル７の長さ方向両側面に設けた断面コ字状溝にＨ形鋼４の下側フランジ部４ｂを係合させることで、吸音パネル２を一対のＨ形鋼４により両端支持する。そして、各吸音パネル２のパネル幅方向の一方側端部において下側フランジ部４ｂの上面４ｈと断面コ字状溝１４の上面１４ｃとの隙間１６に装着される板バネ部２０を設けるとともに、該板バネ部２０を、パネル幅方向に延びる第１横辺部２１と、該第１横辺部２１に対向してパネル幅方向の一方側に向かって上方に傾斜する第２横辺部２２とで構成した上で、固定用具１を、該板バネ部２０と第２横辺部２２に接続される挟持辺部３０と、第１横辺部２１に接続される当接辺部４０とで構成するようにした。【選択図】図４
2009068325.tif 000002
【特許請求の範囲】
【請求項１】
高架橋の下側にてその下面に沿って互いに所定間隔を隔てて並設された一対のＨ形鋼間に、長さ寸法が該所定間隔に略等しい吸音パネルを取付けるための吸音パネル固定用具であって、
上記Ｈ形鋼は、その両フランジ部が上下方向において互いに対向するように配設され、
上記吸音パネルの長さ方向両側の側面には、パネル幅方向の全体に亘って延びかつ幅寸法が上記Ｈ形鋼の下側フランジ部の厚みよりも大きい断面コ字状溝が形成され、
上記吸音パネルは、上記両Ｈ形鋼の下側フランジ部の下面に、上記長さ方向両側の側面の断面コ字状溝の下面をそれぞれ当接させた状態で取付けられるものであり、
上記吸音パネルの取付状態において、該吸音パネルのパネル幅方向の一方側の端部にて上記断面コ字状溝の上面と上記下側フランジ部の上面との隙間に装着される板バネ部を備え、
上記板バネ部は、下面が上記下側フランジ部の上面に当接しかつパネル幅方向に延びる第１横辺部と、該第１横辺部に対向しかつ該第１横辺部との高さ方向の距離がパネル幅方向の上記一方側に向かって大きくなるようにパネル幅方向に延び、下端部が該第１横辺部のパネル幅方向の他方側の端部に接続されるとともに、上端部が上記装着状態において上記断面コ字状溝の上面に当接する第２横辺部とを有し、
上記板バネ部が非装着状態にあるときにおける、上記第２横辺部の上端部と上記第１横辺部の下面との間の高さ方向の距離は、上記隙間の高さ寸法よりも大きく設定されており、
上記第１横辺部に対向しかつ該第１横辺部との高さ方向の距離がパネル幅方向の他方側に向かって大きくなるようにパネル幅方向に延び、下端部が該第１横辺部のパネル幅方向の上記一方側の端部に接続され、上端部が上記板バネ部の装着状態において上記第２横辺部の下面に当接する当接辺部と、
上記第２横辺部に対向し、パネル幅方向の上記他方側に向かって該第２横辺部の上面との高さ方向の距離が小さくなるようにパネル幅方向に延び、上端部が該第２横辺部の上端部に接続され、上記板バネ部の装着状態において、下端部が上記断面コ字状溝の上壁部の上面に当接して、該第２横辺部との間に該上壁部を挟む挟持辺部とをさらに備え、
上記板バネ部が非装着状態にあるときにおける、上記挟持辺部の下端部と上記第２横辺部の上面との間の該第２横辺部に垂直な方向に沿った距離は、上記断面コ字状溝の上壁部の厚さよりも小さいことを特徴とする吸音パネル固定用具。
【請求項２】
請求項１記載の吸音パネル固定用具において、
上記吸音パネルにおける上記断面コ字状溝の上壁部の上面には、抜け防止孔が設けられており、
基端部が上記挟持辺部に接続されかつ該基端部からパネル幅方向の上記一方側に向かって下側に延びて先端部が該挟持辺部の厚み方向に撓むことが可能な片持ちはり状の可撓部からなるストッパ片をさらに備え、
上記ストッパ片は、上記板バネ部の装着状態において、上記抜け防止孔に係合するように構成されていることを特徴とする吸音パネル固定用具。
【請求項３】
請求項１又は２記載の吸音パネル固定用具において、
上記板バネ部が非装着状態にあるときにおける、上記当接辺部の上端部と上記第１横辺部の下面との間の高さ方向の距離は、上記隙間の高さ寸法よりも大きく設定されていることを特徴とする吸音パネル固定用具。
【請求項４】
請求項１乃至３のいずれか一項に記載の吸音パネル固定用具において、
上記吸音パネルは、上記一対のＨ形鋼間にてパネル幅方向に並ぶように複数配設されるものであり、
上記第１横辺部は、上記板バネ部の上記隙間への装着状態において当該板バネ部が装着される吸音パネルとそのパネル幅方向の上記一方側に隣接する吸音パネルとに跨って配設されていることを特徴とする吸音パネル固定用具。
【請求項５】
請求項４記載の吸音パネル固定用具において、
上記当接辺部の上面は、上記板バネ部の装着状態において、当該板バネ部が装着された吸音パネルのパネル幅方向の上記一方側に隣接する吸音パネルを取付ける際に当該吸音パネルのパネル幅方向の上記他方側端部を所定高さ位置に案内するガイド面として作用するように構成されていることを特徴とする吸音パネル固定用具。
【発明の詳細な説明】
【技術分野】
【０００１】
本発明は、高架橋の下面に沿って設けられるＨ形鋼に吸音パネルを取付けるための吸音パネル固定用具に関する技術分野に属する。
【背景技術】
【０００２】
一般に、高架橋（高架道路や高架鉄道等）の下側には、高架橋の長手方向に並ぶ複数のＨ形鋼が高架支持部材として設けられており、このＨ形鋼を利用して騒音防止用の吸音部材を取付ける構造は知られている。
【０００３】
例えば、特許文献１に示すものでは、複数の吸音パネル（吸音部材）を、長さ寸法が各Ｈ形鋼間の間隔に略一致するように形成して、パネル幅方向に略隙間無く並べるとともに、各吸音パネルの該長さ方向両端部をＨ形鋼の下側フランジ部にボルトで固定して支持するようになっている。
【０００４】
また、特許文献２に示すものでは、複数の吸音体（吸音部材）を、各Ｈ形鋼に沿って互いに所定間隔を空けて配設するとともに、各吸音体をＨ形鋼に対して板バネを介して固定するようになっている。具体的には、この板バネは、Ｕ字状に湾曲形成されており、吸音体（吸音体の上面板）の下面をＨ形鋼の下側フランジ部の上面に当接させた状態で、該板バネを該吸音体の上面と上側フランジ部の下面との隙間に挿入（圧入）することで、該吸音体の下面を下側フランジ部の上面に押付けて固定するようになっている。ここで、板バネの下側端縁部は吸音体の上面に予め固定されている一方、上側端縁部には半円形の切欠部が設けられており、該切欠部をＨ形鋼の上側フランジ部に設けられた突起部に係合させることで、ボルト締結作業を行わずに、板バネを上記隙間に装着可能になっている。
【特許文献１】特開２００１−３１７０１１号公報
【特許文献２】特開平１０−２５２０１９号公報
【発明の開示】
【発明が解決しようとする課題】
【０００５】
ところで、高架橋の下側のＨ形鋼に吸音パネルを取付ける際には、作業者は、高所でしかも限られたスペースで取付作業を行う必要がある。したがって、作業者の作業負担の低減及び安全性の確保を図る観点から取付作業の容易化が求められる。しかし、上記特許文献１に示すものでは、各吸音パネルを一つずつＨ形鋼にボルトで固定する必要があるので、ボルト締結作業に手間を要し、作業性が悪いという問題がある。また、このように吸音パネルをボルトで固定した場合には、高架橋の上面を走行する車両等の振動によって、ボルトが簡単に緩んだり破断したりして、吸音パネルをＨ形鋼に確実に固定することができないという問題がある。
【０００６】
そこで、吸音パネル固定用具として、上記特許文献２に示す板バネを採用することで、耐振動性の向上を図るとともに、取付時のボルト締結作業を廃止して作業性の向上を図ることが考えられる。この場合には、振動による吸音パネルの取付けの緩みを防止することができるものの、吸音パネルの厚みは通常はＨ形鋼の断面高さ寸法よりも比較的小さいことから、吸音パネルの上面と上側フランジ部の下面との隙間が広くなって、該隙間に装着される板バネが大型化し、その持運び性や装着作業性が悪化するという問題がある。
【０００７】
本発明は、斯かる点に鑑みてなされたものであり、その目的とするところは、吸音パネルをＨ形鋼に取付ける際の取付作業性に優れた小型でハンディな固定用具を提供しようとすることにある。
【課題を解決するための手段】
【０００８】
上記の目的を達成するために、この発明では、各吸音パネルの長さ方向両側の側面に設けた断面コ字状溝にＨ形鋼の下側フランジ部を係合させることで、吸音パネルを一対のＨ形鋼により両端支持するものとし、吸音パネル固定用具が、各吸音パネルのパネル幅方向の一方側の端部において下側フランジ部の上面と断面コ字状溝の上面との隙間に装着される板バネ部を備えるものとし、この板バネ部を、パネル幅方向に延びる第１横辺部と、該第１横辺部に対向してパネル幅方向の一方側に向かって上方に傾斜する第２横辺部とで構成し、その上で、該吸音パネル固定用具を該板バネ部と、該板バネ部の第２横辺部の上端部に接続されかつ上記断面コ字状溝の上壁部を挟持する挟持辺部と、該板バネ部の第１横辺部に対向してその一方側の端部に接続されかつ上端部が第２横辺部の下面に当接する当接辺部とで構成するようにした。
【０００９】
具体的には、高架橋の下側にてその下面に沿って互いに所定間隔を隔てて並設された一対のＨ形鋼間に、長さ寸法が該所定間隔に略等しい吸音パネルを取付けるための吸音パネル固定用具を対象とする。
【００１０】
そして、上記Ｈ形鋼は、その両フランジ部が上下方向において互いに対向するように配設され、上記吸音パネルの長さ方向両側の側面には、パネル幅方向の全体に亘って延びかつ幅寸法が上記Ｈ形鋼の下側フランジ部の厚みよりも大きい断面コ字状溝が形成され、上記吸音パネルは、上記両Ｈ形鋼の下側フランジ部の下面に、上記長さ方向両側の側面の断面コ字状溝の下面をそれぞれ当接させた状態で取付けられるものであり、上記吸音パネルの取付状態において、該吸音パネルのパネル幅方向の一方側の端部にて上記断面コ字状溝の上面と上記下側フランジ部の上面との隙間に装着される板バネ部を備え、上記板バネ部は、下面が上記下側フランジ部の上面に当接しかつパネル幅方向に延びる第１横辺部と、該第１横辺部に対向しかつ該第１横辺部との高さ方向の距離がパネル幅方向の上記一方側に向かって大きくなるようにパネル幅方向に延び、下端部が該第１横辺部のパネル幅方向の他方側の端部に接続されるとともに、上端部が上記装着状態において上記断面コ字状溝の上面に当接する第２横辺部とを有し、上記板バネ部が非装着状態にあるときにおける、上記第２横辺部の上端部と上記第１横辺部の下面との間の高さ方向の距離は、上記隙間の高さ寸法よりも大きく設定されており、上記第１横辺部に対向しかつ該第１横辺部との高さ方向の距離がパネル幅方向の他方側に向かって大きくなるようにパネル幅方向に延び、下端部が該第１横辺部のパネル幅方向の上記一方側の端部に接続され、上端部が上記板バネ部の装着状態において上記第２横辺部の下面に当接する当接辺部と、上記第２横辺部に対向し、パネル幅方向の上記他方側に向かって該第２横辺部の上面との高さ方向の距離が小さくなるようにパネル幅方向に延び、上端部が該第２横辺部の上端部に接続され、上記板バネ部の装着状態において、下端部が上記断面コ字状溝の上壁部の上面に当接して、該第２横辺部との間に該上壁部を挟む挟持辺部とをさらに備え、上記板バネ部が非装着状態にあるときにおける、上記挟持辺部の下端部と上記第２横辺部の上面との間の該第２横辺部に垂直な方向に沿った距離は、上記断面コ字状溝の上壁部の厚さよりも小さいものとする。
【００１１】
この構成によれば、上記板バネ部が非装着状態にあるときには、上記第２横辺部の上端部と上記第１横辺部の下面との高さ方向の距離は、上記隙間の高さ寸法よりも大きく設定されているので、該板バネ部を隙間に装着した状態では、上記第１横辺部と第２横辺部とに互いに離間する方向の弾性復元力が生じることとなる。このため、断面コ字状溝の上面（上壁部）が、該上面に当接する第２横辺部の弾性復元力により上側に押し上げられることとなり、この結果、吸音パネルの断面コ字状溝の下面を下側フランジ部の下面に押付けて固定することができる。
【００１２】
よって、ボルト等の締結部材を用いることなく、吸音パネルをＨ形鋼に固定することができ、吸音パネル取付け時における作業者の負担を低減することができる。また、高架橋を走行する車両等の振動に起因する吸音パネルのＨ形鋼への締付け力の減少を、該板バネ部の弾性効果により吸収して防止することができる。またさらに、板バネ部は、吸音パネルの断面コ字状溝の上面とＨ形鋼の下側フランジ部の上面との隙間に装着されるものとされ、このため、板バネ部の小型化を図って固定用具を小型でハンディな構成とすることができる。
【００１３】
また、上記板バネ部が非装着状態にあるときにおける、上記挟持辺部の下端部と、上記第２横辺部の上面との間の該第２横辺部に垂直な方向に沿った距離を、上記断面コ字状溝の上壁部の厚さよりも小さくしたことで、板バネ部の装着状態において、第２横辺部と上記挟持辺部（挟持辺部の下端部）とに、互いに近づく方向の弾性復元力を確実に生じさせることができる。したがって、この弾性復元力により、挟持辺部の下端部が吸音パネルにおける断面コ字状溝の上壁部の上面に押付けられ、これにより、板バネ部を該挟持辺部を介して吸音パネルに確実に固定することができる。したがって、吸音パネルの取付作業中における板バネ部の位置ずれを確実に防止することができ、吸音パネルの取付作業を容易化することができる。
【００１４】
また、上記板バネ部の上記隙間への装着状態において、上記挟持辺部と上記第２横辺部との接続部が、上記吸音パネルの断面コ字状溝の上壁部に対して、パネル幅方向の一方側から当接するようにすれば、板バネ部の上記隙間への挿入量を正確に管理することができる。
【００１５】
請求項２の発明では、請求項１の発明において、上記吸音パネルにおける上記断面コ字状溝の上壁部の上面には、抜け防止孔が設けられており、基端部が上記挟持辺部に接続されかつ該基端部からパネル幅方向の上記一方側に向かって下側に延びて先端部が該挟持辺部の厚み方向に撓むことが可能な片持ちはり状の可撓部からなるストッパ片をさらに備え、上記ストッパ片は、上記板バネ部の装着状態において、上記抜け防止孔に係合するように構成されているものとする。
【００１６】
この構成によれば、板バネ部が上記隙間に一旦装着されると、上記ストッパ片が、上記上壁部に設けられた係合孔に係合することとなり、これにより、吸音パネルの取付作業中における板バネ部の位置ずれを確実に防止することができ、吸音パネルの取付作業をより一層容易化することができる。
【００１７】
さらに、振動等によって、固定用具の板バネ部と吸音パネルとの相対移動が発生した場合でも、ストッパ片によって吸音パネルから固定用具が抜け出ないようになっているので、両者が分離して固定用具だけが外れて落下するのを確実に防止することができる。
【００１８】
請求項３の発明では、請求項１又は２の発明において、上記板バネ部が非装着状態にあるときにおける、上記当接辺部の上端部と上記第１横辺部の下面との間の高さ方向の距離は、上記隙間の高さ寸法よりも大きく設定されているものとする。
【００１９】
この構成によれば、上記当接辺部の上端部と上記第１横辺部の下面との高さ方向の距離は、上記隙間の高さ寸法よりも大きく設定されている。このため、板バネ部を上記隙間に装着した状態において、第２横辺部の下面に当接する当接辺部と第１横辺部とに互いに離間する方向の弾性復元力を確実に生じさせることができる。したがって、断面コ字状溝の上面には、第２横辺部のみならず当接辺部からの弾性復元力が上向きに作用し、これによって、断面コ字状溝の下面を下側フランジ部の下面により一層強固に押付けて固定することができる。
【００２０】
第４の発明では、請求項１乃至３のいずれか一つの発明において、上記吸音パネルは、上記一対のＨ形鋼間にてパネル幅方向に並ぶように複数配設されるものであり、上記第１横辺部は、上記板バネ部の上記隙間への装着状態において当該板バネ部が装着される吸音パネルとそのパネル幅方向の上記一方側に隣接する吸音パネルとに跨って配設されている
ものとする。
【００２１】
この構成によれば、吸音パネルをＨ形鋼間に取付ける際にその高さ方向の位置決めを容易に行うことができる。
【００２２】
すなわち、作業者は、吸音パネルの取付けに際して、吸音パネルを、その両側面に設けられた断面コ字状溝にＨ形鋼の下側フランジ部を係合させつつ該Ｈ形鋼の長さ方向にスライドさせる。ここで、吸音パネルの断面コ字状溝の高さ寸法は、下側フランジ部の厚みよりも大きいので、吸音パネルのパネル幅方向の他方側の端部、つまり上記板バネ部が装着されない側の端部は、高さ方向にガタが生じて位置決めが不安定になるという問題がある。
【００２３】
これに対して、本発明では、上記板バネ部の第１横辺部を、当該板バネ部が装着される吸音パネル及びそのパネル幅方向の一方側に隣接する吸音パネルに跨って配設するとともに、該第１横辺部のパネル幅方向の他方側に向かって該第１横辺部との高さ方向の距離が大きくなる当接辺部を設けるようにしたことで、スライドさせた吸音パネルの断面コ字状溝の上面と下側フランジ部の上面との隙間に該当接辺部が自然に挿入されてガイド部材として作用し、これによって、吸音パネルの他方側端部の高さ方向の位置を所定位置に正確にかつ容易に合わせることができる。
【００２４】
請求項５の発明では、請求項４の発明において、上記当接辺部の上面は、上記板バネ部の装着状態において、当該板バネ部が装着された吸音パネルのパネル幅方向の上記一方側に隣接する吸音パネルを取付ける際に当該吸音パネルのパネル幅方向の上記他方側端部を所定高さ位置に案内するガイド面として作用するように構成されているものとする。
【００２５】
この構成によれば、請求項４の発明と同様の作用効果をより一層確実に得ることができる。
【発明の効果】
【００２６】
以上説明したように、本発明の吸音パネル固定用具によると、その小型化を図りつつ、ボルト締結作業を廃止して取付作業性を向上させることができるとともに、該板バネ部及び当接辺部の弾性復元力により吸音パネルをＨ形鋼に強固に固定することができる。また、板バネ部の弾性効果により振動等を吸収することができて、該振動による締付け力の減少を確実に防止することができる。
【発明を実施するための最良の形態】
【００２７】
以下、本発明の実施形態を図面に基づいて詳細に説明する。
【００２８】
図１は、本発明の実施形態に係る吸音パネル固定用具１（図２乃至図７参照）を使用して吸音パネル２が取付けられた車両５０走行用の高架道路１００（高架橋）を示し、この高架道路１００は、その長手方向が車両走行方向に一致していて、地上面から所定高さの位置に設けられている。また、高架道路１００の下側の地上面には、車両５１走行用の下側道路１０１が該高架道路１００に沿って形成されている。
【００２９】
上記高架道路１００は、その下面に沿って道路幅方向に延びかつ該道路長手方向に互いに所定間隔を空けて並ぶ複数のＨ形鋼４に対して、上下方向に延びる複数の支持部材５を介して支持されている。そして、該Ｈ形鋼４及び支持部材５を含む下面部１００ａが、地上面に立設されたＴ字状の橋脚３によって支持されている。
【００３０】
各Ｈ形鋼４は、図２に示すように、上下方向において互いに対向する上側フランジ部４ａ及び下側フランジ部４ｂと、該両フランジ部４ａ，４ｂの幅方向中央部同士を接続するウェッブ４ｃとからなる。
【００３１】
上記各Ｈ形鋼４間には、長さ寸法が上記所定間隔（各Ｈ形鋼間の間隔）に略等しい複数の吸音パネル２が該パネル幅方向に略隙間無く配設されており、各吸音パネル２は、長さ方向の両端部を各Ｈ形鋼４の下側フランジ部４ｂに上記固定用具１で固定して支持されている。
【００３２】
上記吸音パネル２は、図３に示すように、矩形箱状のケース体１０の内部に、吸音材１７（本実施形態では、ポリエステル繊維成形吸音材）を充填してなるものであって、該ケース体１０の上板１１及び下板１２がパンチングメタル（多孔板）で構成された所謂パンチングタイプの吸音構造を有している。尚、図３中、符号１９は、吸音パネル２を吊り下げて運搬するためのアイボルトである。
【００３３】
上記ケース体１０の長さ方向両側の側面２ａを構成する側板１３（図３では、長さ方向一方側の側板１３のみを示す）は、上板１１及び下板１２よりも厚肉の板材で構成されている。各側板１３の上端部は、コ字状に折り曲げ成形されており、こうすることで、吸音パネル２（ケース体１０）の両側面２ａの上端部には、パネル長さ方向外側に開放するコ字状溝１４が形成されている。
【００３４】
コ字状溝１４は、上記両側面２ａのパネル幅方向の全体に亘って形成されていて、その溝幅（パネル取付状態における上下方向の寸法）が下側フランジ部４ｂの厚みよりも大きくなっている。そして、吸音パネル２は、Ｈ形鋼４の下側フランジ部４ｂに該コ字状溝１４を係合させて取付固定される。より具体的には、吸音パネル２は、Ｈ形鋼４に対して、コ字状溝１４の下面１４ｂをＨ形鋼４の下側フランジ部４ｂの下面４ｇに当接させた状態で取付けられるとともに、該下側フランジ部４ｂの上面４ｈとコ字状溝１４の上面１４ｃとの隙間１６に固定用具１における後述の板バネ部２０を装着することで固定される。
【００３５】
上記上板１１及び下板１２は、側板１３の上端面１３ａ（側板１３のコ字状部の上辺部分の上面）及び下端面１３ｂにそれぞれ当接してボルト１５で固定されている（図３では、下板１２を固定するためのボルト１５のみを示す）。そして、本実施形態では、側板１３のコ字状部の上辺部分と、上板１１における該上辺部分に当接する部分とが、コ字状溝１４の上壁部１４ｇを構成しており、この上壁部１４ｇには、上下方向に貫通する貫通孔３４（図４乃至図６参照）が形成されている。
【００３６】
下板１２におけるパネル幅方向の一方側（図４の右側であって、パネル正面側）の端部は、ケース体１０のパネル正面側面２ｂから該正面側に突出して凸状の段差部２ｇを形成している。
【００３７】
一方、下板１２におけるパネル幅方向の他方側（図４の左側であって、パネル背面側）の端部は、段差状に折り曲げられて、該ケース体１０の背面側面２ｃの下端部に凹状の段差部２ｈを形成している。そして、各吸音パネル２（ケース体１０）は、そのパネル背面側の凹状段差部２ｈを、隣接する吸音パネル２（ケース体１０）のパネル正面側の凸状段差部２ｇに係合させた状態で、パネル幅方向に並んで取付けられる。そして、この取付状態において、各吸音パネル２の下面２ｄは互いに連続的に繋がって略面一になっている。
【００３８】
上記固定用具１は、弾性板状部材を折り曲げて一体成形してなるものであって、図４及び図６に示すように、上記各吸音パネル２の取付状態において、該各吸音パネル２のパネル幅方向の一方側の端部（パネル正面側の端部）にて上記隙間１６に装着される板バネ部２０を備えている。
【００３９】
上記板バネ部２０は、上記隙間１６への装着状態において当該板バネ部２０が装着される吸音パネル２とそのパネル幅方向の上記一方側（パネル正面側）に隣接する吸音パネル２とに跨ってパネル幅方向に延びかつ下面２１ａが下側フランジ部４ｂの上面４ｈに当接する第１横辺部２１と、第１横辺部２１に対向してパネル幅方向に延びるとともに、パネル幅方向の上記一方側（パネル正面側）に向かって該第１横辺部２１との高さ方向の距離が大きくなる第２横辺部２２と、を有している（図４及び図５参照）。尚、以下の説明において、特に断らない場合には、板バネ部２０は非装着状態にあるものとする。
【００４０】
上記第２横辺部２２の上面２２ａの上端部は、上記板バネ部２０の装着状態において、コ字状溝１４の上面１４ｃに当接している。すなわち、第１横辺部２１の下面２１ａと第２横辺部２２の上端部との離間距離Ｈ１は、上記隙間１６の高さ寸法ｄ（コ字状溝１４の溝幅から下側フランジ部４ｂの厚みを引いた寸法に略等しい）に等しくなっている。
【００４１】
ここで、第１横辺部２１の下面２１ａと第２横辺部２２の上端部との離間距離Ｈ２（図５参照）は、上記装着状態における離間距離Ｈ１（上記隙間１６の高さ寸法ｄ）に比べて大きくなっている。
【００４２】
上記第１横辺部２１と第２横辺部２２との接続部である湾曲部２３の外径Ｈ３（図４及び図５参照）は、上記隙間１６の高さ寸法ｄよりも小さくなっている。
【００４３】
また、固定用具１は、上記第２横辺部２２の上端部に湾曲部３１を介して接続されかつ該上端部からパネル幅方向の上記他方側（パネル背面側）に向かって該第２横辺部２２に対向して延びる挟持辺部３０をさらに有している。この挟持辺部３０は、パネル幅方向の上記他方側（パネル背面側）に向かって、第２横辺部２２との距離が小さくなるように形成されていて、上記板バネ部２０の装着状態において、図４に示すように、その先端部（下端部）の下面３０ａが、コ字状溝１４の上壁部１４ｇの上面（上板１１の上面１１ａ）に当接するように構成されている。
【００４４】
ここで、挟持辺部３０の先端部の下面３０ａと第２横辺部２２の上面２２ａとの距離ｄ２（該第２横辺部２２に垂直な方向に沿った距離）（図５参照）は、該上壁部１４ｇの厚みｃ（高さ寸法）よりも小さい。
【００４５】
また、上記挟持辺部３０の先端側には、該パネル幅方向の上記他方側（パネル背面側）に向かって上側に拡開する案内辺部３３（図４参照）が接続されている。これにより、板バネ部２０を上記隙間１６に挿入する際に、挟持辺部３０の先端部と第２横辺部２２との間に上記上壁部１４ｇを案内して確実に挟持可能になっている。
【００４６】
上記湾曲部３１は、パネル幅方向の上記他方側（パネル背面側）に開放するＵ字状を呈していて、上記板バネ部２０の装着状態において、上壁部１４ｇに対してパネル幅方向の上記一方側（パネル正面側）から当接するように構成されている。このことで、湾曲部３１は、第２横辺部２２の上端部に接続されかつ上記板バネ部２０の装着状態においてコ字状溝１４の上面を構成する上壁部１４ｇにパネル幅方向の上記一方側から当接する位置決め部を構成することとなる。
【００４７】
また、挟持辺部３０におけるパネル幅方向の中間部には、その一部を切り欠いて下側に折り曲げることでストッパ片３２が形成されている。このストッパ片３２は、該挟持辺部３０に片持ちはり状に支持されて、パネル幅方向の上記一方側（パネル正面側）に向かって下側に傾斜するとともに、その基端部を支点として該挟持辺部３０の厚さ方向に撓むことが可能に構成されている。そして、ストッパ片３２は、板バネ部２０の装着状態において、上壁部１４ｇに設けられた貫通孔３４に係合するように構成されている。尚、第２横辺部２２には、上記係合時にストッパ片３２と干渉しないための逃孔３５が形成されている。
【００４８】
また、固定用具１は、第１横辺部２１におけるパネル幅方向の上記一方側の端部（パネル正面側の端部）に湾曲部４１を介して接続されかつ該第１横辺部２１に対向してパネル幅方向に延びる当接辺部４０をさらに備えている。
【００４９】
当接辺部４０は、第１横辺部２１との高さ方向の距離がパネル幅方向の上記他方側（パネル背面側）に向かって大きくなるように形成されていて、上記板バネ部２０の装着状態において、上端部が上記第２横辺部２２の上端部の下面２２ｂに当接するように構成されている（図４）。
【００５０】
当接辺部４０の先端側（パネル背面側）には、第２横辺部２２に対して略平行となる平行辺部４０ａが設けられている（図５参照）。
【００５１】
また、当接辺部４０の上端部と上記第１横辺部２１の下面２１ａとの離間距離Ｈ４は、上記隙間１６の高さ寸法ｄよりも大きく設定されている。
【００５２】
以上のように構成された固定用具１を使用して、吸音パネル２をＨ形鋼４に取付ける際には、先ず、吸音パネル２を、パネル正面側面２ｂ（凸状段差部２ｇが設けられる面）が道路幅方向の一方側を向くようにセットする（図４及び図５参照）。
【００５３】
次いで、吸音パネル２の両側面２ａのコ字状溝１４が、Ｈ形鋼４の下側フランジ部４ｂに係合するように、該吸音パネル２を道路幅方向の一方側から各Ｈ形鋼４間に挿入して他方側にスライドさせる。そして、スライドさせた吸音パネル２のパネル背面側面２ｃの凹状段差部２ｈ（図４参照）を、既設の吸音パネル２のパネル正面側面２ｂの凸状段差部２ｇに係合させ、これによって、吸音パネル２のパネル背面側端部の下端部を、隣接する吸音パネル２の凸状段差部２ｇにより支持してその高さ方向の位置決めを行う。
【００５４】
そして、該位置決めが完了した後に、吸音パネル２のパネル正面側の端部を上側に引き上げて、Ｈ形鋼４の下側フランジ部４ｂの下面４ｇを、コ字状溝１４の下面１４ｂに当接させる。そうして生じた、下側フランジ部４ｂの上面４ｈとコ字状溝１４の上面１４ｃとの隙間１６に、固定用具１の板バネ部２０を装着する。
【００５５】
具体的には、先ず、固定用具１を、図５に示すように、板バネ部２０の湾曲部２３側を挿入側（パネル幅方向の上記他方側）に向けた状態でかつ第１横辺部２１の下面２１ａが下側フランジ部４ｂの上面４ｈに当接する状態でセットする。そして、該セット後に、固定用具１をパネル幅方向の上記他方側（パネル背面側）に向かってスライドさせる。この結果、板バネ部２０の湾曲部２３が隙間１６内に先ず挿入され、次いで該湾曲部２３に接続された第２横辺部２２がコ字状溝１４の上面１４ｃ（上壁部１４ｇの下面）に当接して下側に押圧されるとともに、第１横辺部２１側に次第に傾倒し、これに伴い、板バネ部２０が隙間１６に次第に挿入されていく。
【００５６】
上記固定用具１のスライド移動に伴い、挟持辺部３０と第２横辺部２２との間に、吸音パネル２の上壁部１４ｇが挿入される。そして、作業者は、該挟持辺部３０と第２横辺部２２との接続部である湾曲部３１の内側面３１ａが、上壁部１４ｇのパネル幅方向の上記一方側の端部（パネル正面側の端部）に当接するまで、固定用具１をスライドさせて板バネ部２０の隙間１６への挿入（装着）を完了する。
【００５７】
ストッパ片３２は、上壁部１４が、挟持辺部３０及び第２横辺部２２間に挿入される際には、そのパネル背面側面３２ａが該上壁部１４ｇに当接して上側に押し上げられることで、該上壁部１４ｇの通過を許容する一方、上壁部１４ｇに設けられた貫通孔３４の位置に達したときには、復元力により下側に変位して該貫通孔３４に係合する。
【００５８】
上記当接辺部４０は、上記固定用具１のスライド移動により第２横辺部２２が第１横辺部２１側に傾倒するのに伴い、該第２横辺部２２の下面２２ｂにより下側に押圧されて該第１横辺部２１側に傾倒する。そして、板バネ部２０の隙間１６への装着が完了した状態（つまり固定用具１の装着が完了した状態）では、当接辺部４０は、そのパネル幅方向の上記他方側（パネル背面側）の端部を板バネ部２０の第２横辺部２２の下面に当接させた状態となる。この状態において、当接辺部４０は、吸音パネル２のパネル正面側面２ｂよりもパネル正面側に突出することとなる。
【００５９】
そうして、固定用具１の装着が完了して吸音パネル２のＨ形鋼４への取付が完了した後は、上述の吸音パネル２の取付け手順と同様の手順で、当該吸音パネル２に隣接する吸音パネル２の取付け作業を行う。具体的には、取付けようとする吸音パネル２の両コ字状溝１４をＨ形鋼４の下側フランジ部４ｂに係合させて、吸音パネル２をパネル幅方向の上記一方側（パネル正面側）から他方側（パネル背面側）にスライドさせる。
【００６０】
この吸音パネル２のスライドに伴い、当該吸音パネル２のコ字状溝１４の上面と下側フランジ部４ｂの上面４ｈとの隙間１６に、既設の吸音パネル２のパネル正面側面２ｂから突出する当接辺部４０が挿入されてガイド部材として作用することとなる。ここで、当接辺部４０（当接辺部４０の上面４０ｂ）は、吸音パネル２の下面のパネル背面側の端部を、所定高さ位置（本実施形態では、既設の吸音パネル２の凸状段差部２ｇと、取付けようとする吸音パネル２の凹状段差部２ｈとが係合する位置）に案内するように構成されている。
【００６１】
以上のように構成された固定用具１では、板バネ部２０の非装着状態における、第１横辺部２１の下面２１ａと第２横辺部２２の上端部との離間距離Ｈ２（図５参照）が、上記隙間１６の高さ寸法ｄよりも大きくなっている。
【００６２】
このため、第１横辺部２１及び第２横辺部２２には、上記装着状態において、互いに離間する方向の弾性復元力が作用することとなる。そして、この弾性復元力によって、第２横辺部２２の上面２２ａがコ字状溝１４の上面１４ｃに押付けられ、第１横辺部２１の下面２１ａが下側フランジ部４ｂの上面４ｈに押付けられる。この結果、コ字状溝１４の下面１４ｂが下側フランジ部４ｂの下面４ｇに押付けられて固定される。したがって、吸音パネル２を、ボルト等の締結部材を別途設けることなく、Ｈ形鋼４の下側フランジ部４ｂに容易に固定することができる。
【００６３】
また、高架道路１００からの振動に起因する吸音パネル２のＨ形鋼４への締付け力の減少を、板バネ部２０の弾性効果により吸収して確実に防止することができる。
【００６４】
また、上記実施形態では、当接辺部４０の上端部と上記第１横辺部２１の下面２１ａとの離間距離Ｈ４が、隙間１６の高さ寸法ｄよりも大きく設定されている。したがって、
上記板バネ部２０が隙間１６に装着されて、当接辺部４０の上端部が第２横辺部２２の下面２２ｂに当接した状態では、当接辺部４０と第１横辺部２１とに互いに離間する方向の弾性復元力が作用することとなる。これにより、コ字状溝１４の上面１４ｃには、第２横辺部２２のみならず当接辺部４０の弾性復元力が上向きに作用する。したがって、コ字状溝１４の下面１４ｂを下側フランジ部４ｂの下面４ｇにより一層強力に押付けることができ、吸音パネル２のＨ形鋼４への固定を強固なものとすることができる。
【００６５】
また、上記実施形態では、挟持辺部３０にストッパ片３２が設けられており、板バネ部２０の装着状態において、該ストッパ片３２が吸音パネル２の上壁部１４ｇの貫通孔３４に係合するようになっている。これにより、吸音パネル２の取付作業中における、固定用具１（板バネ部２０）の位置ずれ等を確実に防止することができる。吸音パネル２の取付作業性を向上させることができる。
【００６６】
また、上記実施形態では、当接辺部４０は、板バネ部２０の装着状態において、吸音パネル２のパネル正面側面２ｂからパネル正面側に突出してガイド部材として作用するようになっていて、次に取付ける吸音パネル２の下面のパネル背面側端部を、上記所定高さ位置に案内するように構成されている。これにより、吸音パネル２を取付ける際に、該吸音パネル２をパネル幅方向の上記他方側（パネル背面側）にスライドさせるだけで、吸音パネル２の下面のパネル背面側の端部を、所定位置に容易にかつ確実に案内することができて、その高さ方向の位置決め精度の向上を図ることが可能となる。
【００６７】
また、上記実施形態では、上記湾曲部３１（位置決め部）は、パネル幅方向の上記他方側（パネル背面側）に開放するＵ字状を呈していて、板バネ部２０の装着状態において、上壁部１４ｇに対してパネル幅方向の上記一方側（パネル正面側）から当接するように構成されている。これにより、板バネ部２０を隙間１６に挿入する際にその挿入量をバラツキなく略一定に管理することができ、延いては、吸音パネル２のパネル正面側面２ｂからパネル正面側に突出する当接辺部４０の突出量を略一定にすることができて、吸音パネル２の高さ方向の位置決め精度をより一層向上させることが可能となる。
【００６８】
また、上記実施形態では、各吸音パネル２は、Ｈ形鋼４への取付状態において、それぞれの下面２ｄ同士が連続的に繋がって略面一になっている。これにより、各吸音パネル２を下側から見たときの美観を向上させることができる。
【００６９】
また、上記実施形態では、挟持辺部３０の先端部の下面３０ａと第２横辺部２２の上面２２ａとの間の該第２横辺部２２に垂直な方向に沿った距離ｄ２（図５参照）は、該上壁部１４ｇの厚みｃ（高さ寸法）よりも小さくなっている。このことで、板バネ部２０の装着状態において、第２横辺部２２と挟持辺部３０とに、互いに近づく方向の弾性復元力が生じすることとなり、この弾性復元力により、挟持辺部３０の下端部が吸音パネル２の断面コ字状溝１４の上壁部１４ｇの上面１１ａに押付けられる。これにより、板バネ部２０を該挟持辺部３０を介して吸音パネル２に確実に固定することができる。したがって、吸音パネル２の取付作業中における板バネ部２の位置ずれを確実に防止することができ、吸音パネル２の取付作業性を可及的に向上させることができる。
【００７０】
また、上記実施形態では、上記第１横辺部２１と第２横辺部２２との接続部である湾曲部２３の外径Ｈ３（図５参照）は、上記隙間１６の高さ寸法ｄよりも小さくなっている。
これにより、板バネ部２０をその湾曲部２３を挿入側として上記隙間１６に確実に挿入して装着することができる。
【００７１】
（他の実施形態）
本発明の構成は、上記実施形態に限定されるものではなく、それ以外の種々の構成を包含するものである。すなわち、上記実施形態では、湾曲部３１を介して第２横辺部２２に接続される挟持辺部３０を備えるようにしているが、必ずしも挟持辺部３０を設ける必要はなく、また、挟持辺部３０に設けられるストッパ片３２についても、必ずしも設ける必要はない。ストッパ片３２は、上記実施形態の構造に限られるものではなく、ストッパとしての機能を有するものであればよく、他の構造であってもよい。
【００７２】
また、上記実施形態では、板バネ２０の装着状態において、当接辺部４０の上端部が第２横辺部２２の下面２２ｂに当接するようになっているが、必ずしも当接させる必要はなく、例えば、該下面２２ｂよりも下側に位置させるようにしてもよい。
【００７３】
また、上記実施形態では、板バネ２０の挿入方向（パネル幅方向）の位置決め部として、略Ｕ字状の湾曲部３１が設けられているが、必ずしもこの位置決め部をＵ字状にする必要はなく、例えばコ字状やＬ字状であってもよい。
【００７４】
また、上記実施形態では、吸音パネル２のパネル幅方向両側面２ｂ，２ｃにそれぞれ、凸状段差部２ｇ，凹状段差部２ｈを設けるようにしているが、必ずしも設ける必要はない。
【００７５】
また、上記実施形態では、上記当接辺部４０は、板バネ部２０が装着される吸音パネル２とそのパネル幅方向の一方側に隣接する吸音パネル２との間に跨って配設されているが、必ずしも跨って配設させる必要はなく、例えば、当接辺部４０におけるパネル幅方向の上記一方側の端部が吸音パネル２の正面側面２ｂよりも他方側に位置するようにしてもよい。
【産業上の利用可能性】
【００７６】
本発明は、高架橋の下面に沿って互いに所定間隔を隔てて配設される一対のＨ形鋼間に吸音パネルを両端支持して取付けるための固定用具に有用であり、特に、複数の吸音パネルをパネル幅方向に略隙間無く並べて取付ける場合に有用である。
【図面の簡単な説明】
【００７７】
【図１】本発明の実施形態に係る固定用具を使用して吸音パネルが取付けられた高架道路を示す、その長手方向から見た概略図である。
【図２】Ｈ形鋼間に取付けられた吸音パネルを示す、パネル幅方向の一側の斜め上方から見た斜視図である。
【図３】図２のIII-III線断面図である。
【図４】図３のIV-IV線断面図である
【図５】吸音パネル固定用具の装着前の状態を示す図４相当図である。
【図６】吸音パネル固定用具の取付け状態を示す斜視図である。
【図７】吸音パネル固定用具を示す斜視図である。
【符号の説明】
【００７８】
１        吸音パネル固定用具
２        吸音パネル
２ａ      吸音パネルの長さ方向の両側面
４        Ｈ形鋼
４ａ      上側フランジ部
４ｂ      下側フランジ部
１４      コ字状溝
１４ｂ    断面コ字状溝の下面
１４ｃ    断面コ字状溝の上面
１４ｇ    上壁部
１６      隙間
２０      板バネ部
２１      第１横辺部
２１ａ    第１横辺部の下面
２２      第２横辺部
２２ｂ    第２横辺部の下面
３０      挟持辺部
３２      ストッパ片
３４      貫通孔（抜け防止孔）
３１      湾曲部（位置決め部）
４０      当接辺部
４０ｂ    当接辺部の上面
１００    高架道路（高架橋）
【図１】
2009068325.tif 000003
【図２】
2009068325.tif 000004
【図３】
2009068325.tif 000005
【図４】
2009068325.tif 000006
【図５】
2009068325.tif 000007
【図６】
2009068325.tif 000008
【図７】
2009068325.tif 000009